(57)【要約】この発明は、かご室の壁パネルの裏面に、両面テープを介して補強部材を固定する作業を容易くすることを目的とする。この発明によるエレベータのパネルは、表板と、断面をハット型に形成され、表板の裏面に固定される補強部材と、表板の裏面と補強部材との間に介在して両者を固定させる両面テープと、相対して表板の裏面の方向に傾斜する一対の傾斜部を形成し、傾斜部に補強部材のハット型の鍔部が当接する、表板の端部に設けられた補強部材ガイドとを備えている。
2016110879.tif 000002
【特許請求の範囲】
【請求項１】
表板と、断面をハット型に形成され、前記表板の裏面に固定される補強部材と、前記裏面と前記補強部材との間に介在して両者を固定させる両面テープと、相対して前記裏面の方向に傾斜した一対の傾斜部を形成し、前記傾斜部に前記補強部材の鍔部が当接する、前記表板の端部に設けられた補強部材ガイドと、
を備えたことを特徴とするエレベータのパネル。
【請求項２】
前記補強部材ガイドは、前記表板の端部を曲折して前記表板の裏面と相対する折曲部を抜き加工し、相対して前記裏面の方向に傾斜する一対の傾斜部と、
を備えたことを特徴とする請求項１に記載のエレベータのパネル。
【請求項３】
前記補強部材ガイドは、曲折して断面コ字状に形成した板材と、前記板材の一端面を打抜き加工し、相対して他端面の方向に傾斜する一対の傾斜部とを備える、
ことを特徴とする請求項１に記載のエレベータのパネル。
【請求項４】
前記補強部材は、前記鍔部が前記補強部材ガイドと同角度に傾斜している、
ことを特徴とする請求項１から請求項３のいずれか１項に記載のエレベータのパネル。
【請求項５】
前記補強部材が前記裏面から剥がれた際に引っ掛かるバックアップを備えた、
ことを特徴とする請求項１から請求項４のいずれか１項に記載のエレベータのパネル。
【発明の詳細な説明】
【技術分野】
【０００１】
この発明は、エレベータのかご室の壁に使用されるパネルに関する。
【背景技術】
【０００２】
エレベータのかご室の壁に使用されているパネルは、パネルの裏面に両面テープや接着剤等の接合剤を用いて補強材を接合している。補強材の位置決め方法の一つとして、パネルの両端を打抜き折り曲げ加工して形成した爪で位置決めする方法が考えられている。 (例えば特許文献１)
【先行技術文献】
【特許文献】
【０００３】
【特許文献１】特開平１−３４８８４号公報  (第１図)
【発明の概要】
【発明が解決しようとする課題】
【０００４】
先行文献においては、補強材をパネルの裏面に接着剤を用いて固定している。接着剤は固まるまで時間が掛るため、補強材の位置を修正しながらパネルに固定することができる。しかしながら、両面テープを用いて補強材をパネルに固定する場合、両面テープは一度接着されると補強材の位置を修正することができず、剥がすことも困難である。このため、補強材を正確に位置決めしてから固定する必要があり、補強材の固定作業に多大な時間を要する。【０００５】
この発明は上記課題を解決するためになされたもので、補強材の位置決めを容易く行うことができ、両面テープを用いて補強材をパネルに固定する場合でも作業時間を短縮できることを目的とする。
【課題を解決するための手段】
【０００６】
この発明に係るエレベータのパネルは、表板と、断面をハット型に形成され、前記表板の裏面に固定される補強部材と、前記裏面と前記補強部材との間に介在して両者を固定させる両面テープと、相対して前記裏面の方向に傾斜した一対の傾斜部を形成し、前記傾斜部に前記補強部材の鍔部が当接する、前記表板の端部に設けられた補強部材ガイドと、を備えたことを特徴とする。
【発明の効果】
【０００７】
この発明によれば、補強材は、鍔部が表板の端部に設けられた補強ガイドの傾斜部に当接して位置決めされる。これにより、補強部材は容易に位置決めされるので、固定作業に掛かる時間を短くすることができる。
【図面の簡単な説明】
【０００８】
【図１】この発明の実施の形態１のエレベータのパネルを配設したかごを示す図である。
【図２】この発明の実施の形態１のパネルを示す図である。
【図３】図２のＩＩＩ−ＩＩＩ断面図である。
【図４】図２のＩＶ−ＩＶ断面図である。
【図５】この発明の実施の形態１の補強部材をパネルに固定する方法を示す図である。
【図６】この発明の実施の形態２における図３相当図である。
【図７】この発明の実施の形態３における図４相当図である。
【発明を実施するための形態】
【０００９】
実施の形態１
この発明の実施の形態１を図１から図５により説明する。なお、図中、同一符号は同一部品を示し説明を省略する。
図１に示す昇降路内を巻上げ機に掛けたロープ（いずれも図示しない）により吊られて昇降するかご１は、床５から立設した側面のパネル２および袖壁６と、これらの上部に設けられた天井４と、出入口を開閉する扉３により構成されている。
【００１０】
パネル２は、図２、３、４に示すように板材よりなり、表板２ａの側部折曲部２ｃは曲折されて形成されている。表板２ａの上部折曲部２ｅと下部折曲部２ｄも曲折されて形成されている。表板２ａの裏面２ｂに補強部材７が固定されている。この実施の形態では、パネル２の下部折曲部２ｄをかご１の床５方向、上部折曲部２ｅを天井４方向に配設する。
【００１１】
上部折曲部２ｅには、相対して裏面２ｂの方向に傾斜した一対の傾斜部を形成した上部ガイド２ｇが設けられている。また、下部折曲部２ｄには上部と同じように、相対して裏面２ｂの方向に傾斜した一対の傾斜部を形成した下部ガイド２ｆが設けられている。なお、補強部材ガイドは、上部ガイド２ｇと下部ガイド２ｆで構成される。
【００１２】
上部ガイド２ｇは、上部折曲部２ｅを打抜き加工した後、曲げ加工して傾斜させている。下部ガイド２ｆは、下部折曲部２ｄを打抜き加工した後、曲げ加工して傾斜させている。
【００１３】
補強部材７は、図２、３、４に示すように、表板２ａの裏面２ｂに両面テープ８を介在して固定されている。補強部材７は、底部７ｂと、底部７ｂの両端から立ちあがる立ち上がり部７ｃと、立ち上がり部７ｃから外側に配置された鍔部７ａとを有する断面がハット型に形成された長尺物である。両面テープ８は、裏表両面が接着面になっている粘着テープであり、片面が裏面２ｂ、もう一方の片面が補強部材７の底部７ｂに接着されている。
【００１４】
また、鍔部７ａが、上部ガイド２ｇ及び下部ガイド２ｆに当接している。詳細には、鍔部７ａの先端部７ｄが、上部ガイド２ｇ及び下部ガイド２ｆに当接している。さらに、補強部材７の両側の立ち上がり部７ｃ間の幅は、一対の上部ガイド２ｇ間および一対の下部ガイド２ｆ間の幅より少し狭い。これらにより、補強部材７は一対の上部ガイド２ｇ間及び一対の下部ガイド２ｆ間に挿入されて左右に傾くことなく位置決めされ、裏面２ｂに固定される。
【００１５】
パネル２の上部折曲部２ｅと下部折曲部２ｄには、補強部材７の昇降路内への落下を防ぐバックアップ２ｎ、２ｍを備えている。バックアップ２ｎ、２ｍは、一対の上部ガイド２ｇの中間点と一対の下部ガイド２ｆの中間点とに配設されている。バックアップ２ｎ、２ｍ間の距離Ｈは、補強部材７の全長Ｌより短い。また、補強部材７はバックアップ２ｎ、２ｍよりも裏面２ｂ側に配設されている。これらより、補強部材７は裏面２ｂから剥がれた際に、バックアップ２ｎ、２ｍに引っ掛かる。
【００１６】
次に、補強部材７をパネル２に固定する方法について、図５を用いて説明する。
最初に、補強部材７の一方端を、矢印Ａの方向に移動させ、底部７ｂをバックアップ２ｍより裏面２ｂ方向に位置する様に下部折曲部２ｄに挿入する。この時、底部７ｂが裏面２ｂに接触して両面テープ８の接着面が接着されないように注意する。なお、両面テープ８は補強部材７の底部７ｂの裏面２ｂ側に貼付けているが、裏面２ｂに貼付けられていてもよい。
次に、補強部材７の他方端を、矢印Ｂの方向に移動させ、底部７ｂをバックアップ２ｎより裏面２ｂ方向に位置する様に上部折曲部２ｅに挿入する。
【００１７】
そして、次に、一対の上部ガイド２ｇの間と一対の下部ガイド２ｆの間に底部７ｂを挿入させながら、補強部材７を裏面２ｂ方向に移動させる。鍔部７ａの先端部７ｄが上部ガイド２ｇと下部ガイド２ｆに当接するまで移動させると底部７ｂが裏面２ｂに当接する。これにより、補強部材７が両面テープ８を介在してパネル２に固定される。
【００１８】
この発明の実施の形態では、パネル２をかご１の壁に用いているが、かごの出入口の扉３、または、袖壁６に用いてもよい。あるいは、エレベータ乗場の出入口の扉に用いてもよい。また、補強部材７を裏面２ｂに両面テープ８を用いて固定しているが、接着剤による固定でもよい。
【００１９】
上記実施の形態１によれば以下の効果を得ることができる。
エレベータのパネルは、表板２ａと、断面をハット型に形成され、表板２ａの裏面２ｂに固定される補強部材７と、裏面２ｂと補強部材７との間に介在して両者を固定させる両面テープ８と、相対して前記裏面の方向に傾斜する一対の傾斜部を形成し、傾斜部に補強部材７のハット型の鍔部７ａが当接する、上部ガイド２ｇと下部ガイド２ｆを備えている。これにより、補強部材７の鍔部７ａが一対の上部ガイド２ｇと一対の下部ガイド２ｆに当接して位置決めを容易に行うことができる。よって、補強部材７をパネル２に固定する作業時間を短くすることができる。
【００２０】
また、表板２ａの両端部を曲折して表板２ａの裏面２ｂと相対する折曲部を抜き加工し、相対して裏面２ｂ方向に傾斜するガイド部である上部ガイド２ｇと下部ガイド２ｆを形成しているので、簡単な構造で補強部材７の位置決めを行うことができる。
【００２１】
さらに、補強部材７が裏面２ｂから剥がれた際に引っ掛かるバックアップ２ｍ、２ｎを備えているので、補強部材７が裏面２ｂから剥がれて昇降路側に倒れかかった際に、バックアップ２ｍあるいは２ｎに補強部材７の底部７ｂが引っ掛かり昇降路内に落下しない。
【００２２】
実施の形態２
この発明の実施の形態２を図６により説明する。なお、図中、同一符号は同一部品を示し説明を省略する。
【００２３】
図６に示すように、補強部材９は、鍔部９ａが、上部ガイド２ｇ（または、下部ガイド２ｆ）と同角度に傾斜している。
【００２４】
上記実施の形態２によれば以下の効果を得ることができる。
補強部材９は、鍔部９ａが、上部ガイド２ｇ（または、下部ガイド２ｆ）と同角度に傾斜しているので、鍔部９ａがガイド部の傾斜に添うことで位置決めされる。これにより、容易に補強部材９の位置決めを行うことができるので、補強部材７をパネル２に固定する作業時間を短くすることができる。
【００２５】
実施の形態３
この発明の実施の形態３について、図７により説明する。なお、図中、同一符号は同一部品を示し説明を省略する。
【００２６】
図７に示すように、補強部材ガイド１０は、側板１０ａの両端部を曲折して断面をコ字状に形成させ、一端面１０ｂを打抜き加工して、相対して先端部が他端面１０ｃの方向に傾斜する一対の傾斜部を形成するガイド部１０ｄを形成している。ガイド部１０ｄは、実施の形態１の上部ガイド２ｇおよび下部ガイド２ｆと同様に傾斜している。そして、補強部材ガイド１０は、表板２ａの端部に溶接や接着等により固定される。
【００２７】
上記実施の形態３により、以下の効果を得ることができる。
補強部材ガイド１０は、板材１０ａの両端部を曲折して断面をコ字状に形成し、板材１０ａの一端面１０ｂを打抜き加工して、相対して先端部が板材の他端面１０ｃの方向に傾斜する一対の傾斜部を備えているので、別部品として構成している。これにより、表板２ａの上部折曲部２ｅと下部折曲部２ｄを形成するための曲折加工が不可能な場合においても、本発明を実施可能となる。
【符号の説明】
【００２８】
１  かご、  ２  パネル、  ２ａ  表板、  ２ｂ  裏面、  ２ｃ  側部折曲部、  ２ｄ  下部折曲部、  ２ｅ  上部折曲部、  ２ｆ  下部ガイド、  ２ｇ  上部ガイド、  ２ｎ  バックアップ、  ２ｍ  バックアップ、  ３  扉、  ４  天井、  ５  床、  ６  袖壁、  ７  補強部材、  ７ａ  鍔部、  ７ｂ  底部、  ７ｃ  立ち上がり部、  ７ｄ  先端部、  ８  両面テープ、  ９  補強部材、  ９ａ  鍔部、  ９ｂ  底部、  ９ｃ  立ち上がり部、１０  補強部材ガイド、  １０ａ  側板、  １０ｂ  一端面、  １０ｃ  他端面、  １０ｄ  ガイド部。
【図１】
2016110879.tif 000003
【図２】
2016110879.tif 000004
【図３】
2016110879.tif 000005
【図４】
2016110879.tif 000006
【図５】
2016110879.tif 000007
【図６】
2016110879.tif 000008
【図７】
2016110879.tif 000009
【国際調査報告】
2016110879.tif 000010
2016110879.tif 000011
2016110879.tif 000012
2016110879.tif 000013